(57)【要約】【課題】再生装置側に特別な手段を設けることなく、シーク時に連続映像を出画しながら再生性能を評価することが可能な評価用光ディスクを提供する。【解決手段】光ディスクのデータ領域に、映像データが不連続に記録された第１の領域と、欠陥領域として扱われる第２の領域とを交互に設けるとともに、ディスク外周側に代替領域を設ける。代替領域には、第１の領域の映像データの不連続部分を埋める映像データを記録する。再生時には、欠陥管理領域ＤＭＡのアドレス情報に基づき、光ピックアップが第１の領域と代替領域との間を交互に移動しながら映像データを読み取ることにより、連続した再生映像が出画される。【選択図】図４
2008310871.tif 000002
【特許請求の範囲】
【請求項１】
映像データが記録されるデータ領域と、このデータ領域中の所定領域に映像データを正常に記録できない場合に欠陥管理情報が記録される欠陥管理領域とを有し、前記欠陥管理領域に、映像データを正常に記録できない欠陥領域のアドレス情報と、当該映像データが代替記録される代替領域のアドレス情報とが記録される光ディスクにおいて、
前記データ領域には、ディスク内周側から外周側へ向けて、映像データが不連続に記録された第１の領域と、前記欠陥領域として扱われる第２の領域とが混在して設けられているとともに、ディスク外周側に前記代替領域が設けられており、
前記代替領域には、前記第１の領域の映像データの不連続部分を埋める映像データが記録されており、
再生時に、前記第１の領域の映像データと前記代替領域の映像データとが、前記各アドレス情報に基づき当該領域間を往復移動する光ピックアップで読み取られることにより、連続した映像が出画されるようにしたことを特徴とする再生性能評価用光ディスク。
【請求項２】
請求項１に記載の再生性能評価用光ディスクにおいて、
前記第１の領域と第２の領域とは交互に設けられており、
再生時に、前記第１の領域の映像データと前記代替領域の映像データとが、前記光ピックアップにより交互に読み取られることを特徴とする再生性能評価用光ディスク。
【請求項３】
請求項１または請求項２に記載の再生性能評価用光ディスクにおいて、
前記第２の領域に、任意のデータが記録されていることを特徴とする再生性能評価用光ディスク。
【発明の詳細な説明】
【技術分野】
【０００１】
本発明は、ＤＶＤ（Digital  Versatile Disc）やＢＤ（Blu-ray Disc；登録商標）などの光ディスクを再生する装置の再生性能評価に用いられるテスト用光ディスクに関する。
【背景技術】
【０００２】
ＤＶＤレコーダ／プレーヤ、ＢＤレコーダ／プレーヤのような光ディスク記録再生装置においては、光ピックアップをディスク内周から外周へ、あるいはディスク外周から内周へシーク（移動）させたときのシーク性能に対する評価が行われる。従来、この性能評価にあたっては、光ディスク記録再生装置のフロントエンドあるいはバックエンドから、ＡＴＡＰＩ（Advanced Technology Attachment Packet Interface）規格に準拠したシークコマンドを発行し、このコマンドで指定されたアドレスに従って、光ピックアップをディスクの内周と外周へ交互に移動させて、シーク時間や読み取りエラー回数を測定していた。下記の特許文献１には、このような評価方法が記載されている。
【０００３】
【特許文献１】特開２００４−４７０３２号公報
【発明の開示】
【発明が解決しようとする課題】
【０００４】
従来の評価方法では、市販の光ディスクあるいはテスト用のディスクを用いて性能の評価が行われるが、評価項目は専らシーク時間や読み取りエラー回数であり、ディスクに記録されている映像を出画しながらの評価は行われていなかった。これは、通常の光ディスクには、光ピックアップがディスクの内周と外周に交互に移動して連続映像として読み出すようなデータがそもそも存在せず、光ピックアップをシークしながら出画しても、再生映像は連続した映像にならないので、シーク時の映像の途切れなどを評価する点からはあまり意味がないためと考えられる。
【０００５】
また、従来のような評価方法を実行しようとすれば、フロントエンドやバックエンドにおいて特別な制御が必要となるため、そのためのソフトウェアを装置ごとに組み込まねばならず、コストの上昇を招くという問題がある。
【０００６】
本発明は、上述した課題を解決するものであって、その目的とするところは、再生装置側に特別な手段を設けることなく、シーク時に連続映像を出画しながら再生性能を評価することが可能な評価用光ディスクを提供することにある。
【課題を解決するための手段】
【０００７】
本発明では、再生性能評価用の光ディスクとして、映像データが記録されるデータ領域と、このデータ領域中の所定領域に映像データを正常に記録できない場合に欠陥管理情報が記録される欠陥管理領域とを有し、欠陥管理領域に、映像データを正常に記録できない欠陥領域のアドレス情報と、当該映像データが代替記録される代替領域のアドレス情報とが記録される光ディスクを用いる。このような光ディスクとしては、例えばＢＤ−Ｒ（Blu-ray Disc Recordable）、ＢＤ−ＲＥ（Blu-ray Disc Rewritable）、ＤＶＤ−ＲＡＭ（Digital Versatile Disc Random Access Memory）などがある。本発明の評価用光ディスクでは、データ領域に、ディスク内周側から外周側へ向けて、映像データが不連続に記録された第１の領域と、欠陥領域として扱われる第２の領域とが混在して設けられているとともに、ディスク外周側に代替領域が設けられており、この代替領域には、第１の領域の映像データの不連続部分を埋める映像データが記録されている。再生時には、第１の領域の映像データと代替領域の映像データとが、各アドレス情報に基づき当該領域間を往復移動する光ピックアップで読み取られ、連続した映像が出画される。
【０００８】
本発明は、ある種の光ディスクに、欠陥領域と代替領域の各アドレス情報を管理するための欠陥管理領域が存在することに着目し、データ記録領域に、欠陥領域として扱われる領域を意図的に設けるとともに、この領域に記録されるはずの映像データを、ディスクの外周に設けた代替領域に記録することにより、ディスクの内周と外周とで映像データを連続させたことに特徴がある。このようにすれば、欠陥管理領域のアドレス情報に従って、光ピックアップをディスクの内周・外周間を往復移動させながら、連続した映像が出画されるので、再生映像にシークによる途切れがないかどうかを映像を見ながら評価することができる。また、評価用ディスクは、規格で定められた欠陥管理領域を有する既存の光ディスクを用いて、簡単に作成することができる。また、一般に市販されているＤＶＤレコーダ／プレーヤや、ＢＤレコーダ／プレーヤなどには、ディスクの欠陥管理領域に記録されている情報を読み出す機能がもともと備わっているので、装置側に新たな機構やソフトウェアを組み込む必要がなく、本発明の評価用ディスクを用意するのみで、全ての装置で同様の評価を行うことができる。
【０００９】
本発明の典型的な実施形態では、第１の領域と第２の領域とが交互に設けられ、再生時に、第１の領域の映像データと代替領域の映像データとが、光ピックアップにより交互に読み取られる。これによると、光ピックアップをディスクの内周側と外周側に規則的に交互移動させながら再生映像が出画されるので、目視による映像の連続性の評価を容易かつ精度良く行うことができる。
【００１０】
本発明においては、第２の領域に記録されるデータは任意のデータ（例えば“０”）でよい。第２の領域は欠陥領域として扱われ、この領域のデータは実際には再生されないからである。したがって、ここに記録するデータは何であってもよく、映像データである必要はない。
【発明の効果】
【００１１】
本発明によれば、再生装置側に特別な手段を設けることなく、シーク時に連続映像を出画しながら再生性能を評価することが可能となる。
【発明を実施するための最良の形態】
【００１２】
以下、本発明の実施形態につき図面を参照しながら説明する。
【００１３】
図１は、本発明に係る再生性能評価用光ディスク（以下、「テストディスク」という。）を用いて、再生性能の評価が行われるディスク再生装置のブロック図である。ここでは、ＢＤ−Ｒ（Blu-ray Disc Recordable）やＢＤ−ＲＥ（Blu-ray Disc Rewritable）などの光ディスクを取り扱うディスク再生装置１００を例に挙げる。
【００１４】
ディスク再生装置１００は、フロントエンド１０とバックエンド２０とから構成されている。フロントエンド１０は、光ディスクに記録されているデータを読み出して再生するブロックである。バックエンド２０は、リモコン４０からの信号を受信して、フロントエンド１０にデータの読み出しを指令するとともに、フロントエンド１０から送られてくるデータを処理して、モニタ装置３０に映し出す映像を生成し、さらに装置全体の制御を行うブロックである。
【００１５】
フロントエンド１０において、１は本発明のテストディスク、１１はこのディスク１を回転させるためのスピンドルモータ、１２はテストディスク１に記録されているデータを光学的に読み出すための光ピックアップ、１３は光ピックアップ１２をディスク１の径方向に移動させるためのスライドモータである。テストディスク１としては、ＢＤ−ＲやＢＤ−ＲＥが用いられる。１４は同期検出／ＡＤ変換回路であって、光ピックアップ１２が読み出したデータを基準クロックに基づいて同期検出するとともに、アナログ信号からデジタル信号に変換する。１５は復調／誤り訂正回路であって、デジタル信号に変換されたデータを復調し、読み出されたデータの誤りを訂正する。１６はサーボ回路であって、スピンドルモータ１１の回転を制御するとともに、スライドモータ１３を制御して光ピックアップ１２のシーク動作を制御する。また、サーボ回路１６は、光ピックアップ１２のフォーカス動作やトラッキング動作の制御も行う。１７はマイクロコンピュータ（以下、「マイコン」という。）であって、バックエンド２０からの指令信号を受信して、フロンドエンド１０のシステムを制御する。
【００１６】
バックエンド２０において、２１はデコーダであって、ＭＰＥＧ２方式により圧縮されたデジタル映像信号を伸張して、元のデジタル映像信号に復号するとともに、ＡＣ−３方式により圧縮されたデジタル音声信号を伸張して、元のデジタル音声信号に復号する。２２はエンコーダ／ＤＡ変換回路であって、復号されたデジタル音声信号をアナログ信号に変換するとともに、デジタル映像信号を所定の信号方式（ＮＴＳＣ方式など）に従った映像信号に符号化し、符号化された映像信号をアナログ映像信号に変換する。２３はＯＳＤ（On Screen Display）回路であって、エンコーダ／ＤＡ変換回路２２から出力される映像信号に、文字や画像を重畳して、モニタ３０に送出する。２４はリモコン受信部であって、リモコン４０から送信された赤外線信号のリモコン信号を受信し、所定の電気信号に変換する。２５はマイクロコンピュータ（以下、「マイコン」という。）であって、フロントエンド１０のマイコン１７に制御信号を送信し、また、マイコン１７から送信された信号を受信して、ディスク再生装置１００のシステム全体を制御する。なお、図１では音声系のブロックの図示を省略してある。
【００１７】
図２は、テストディスク１のデータ構造を示した図である。これらは、通常のＢＤのデータ構造と何ら変わらない。図２（ａ）は、テストディスク１の記録層が１層の場合のデータ構造であって、ディスク内周側には、主として制御情報が記録されるリードイン領域（Lead-in Zone）が設けられており、ディスク外周側にも、同様の情報が記録されるリードアウト領域（Lead-out Zone）が設けられている。また、これらの領域の間には、再生する映像データ等が記録されるデータ領域（Data Zone）が設けられている。図２（ｂ）はテストディスク１の記録層が２層の場合のデータ構造である。この場合も、リードイン領域（Lead-in Zone）とリードアウト領域（Lead-out  Zone）が設けられるが、リードアウト領域が２層目に存在する点と、層の切り替わり位置にアウター領域（Outer Zone０，Outer Zone１）と呼ばれる領域が存在する点が１層の場合と異なる。アウター領域にも、制御情報を記録することが可能である。また、２層の場合はデータ領域（Data Zone０，Data Zone１）が各層に設けられる。
【００１８】
図３は、リードイン領域の記録データの一部を示した図である。リードイン領域には、ＢＣＡ（Burst Cutting Area）、ＰＩＣ（Permanent Information & Control Data Zone）、ＰＡＣ（Physical Access Control）などの記録領域が設けられている。また、ＢＤ−ＲやＢＤ−ＲＥの場合、ＤＭＡ（Defect  Management Area）と呼ばれる欠陥管理領域（以下、「ＤＭＡ」と表記する。）が設けられる。例えば、１層ディスクの場合、実際には、ＤＭＡはリードイン領域に２箇所とリードアウト領域に２箇所の合計４箇所に設けられ、各ＤＭＡに同じデータが記録されるようになっているが、図３では簡単のためにＤＭＡは１箇所だけ図示してある。
【００１９】
ＤＭＡには、データ領域中の所定領域に映像データを正常に記録できない場合に、欠陥管理情報が記録される。欠陥管理情報には、欠陥アドレスと代替アドレスとが含まれる。欠陥アドレスは、映像データを正常に記録できない欠陥領域のアドレス情報（先頭アドレスおよび終了アドレス）であり、代替アドレスは、欠陥領域に記録できなかった映像データが代替記録される代替領域のアドレス情報（先頭アドレスおよび終了アドレス）である。このようなＤＭＡが備わった光ディスクでは、指定された領域へのデータ記録に失敗した場合、その領域を欠陥領域として当該領域のアドレス情報をＤＭＡに記録するとともに、記録できなかったデータを代替領域に記録し、その代替領域のアドレス情報をＤＭＡに記録する。そして、再生時に、上記欠陥領域のアドレスが指定された場合は、当該領域のデータは読み取らずに、ＤＭＡに記録されている代替領域のアドレスを取得して、光ピックアップを当該アドレス位置へ移動させ、代替領域の記録データを読み取って再生する。
【００２０】
図４は、テストディスク１のデータ領域における映像データの記録例を示した図である。この例では、データ領域に、ディスク内周側から外周側へ向けて、映像データが不連続に記録された第１の領域Ａ，Ｃ，Ｅ，Ｇ，…と、欠陥領域として扱われる第２の領域Ｂ，Ｄ，Ｆ，Ｈ，…とが交互に設けられている。また、ディスク外周側に、第２の領域（欠陥領域）Ｂ，Ｄ，Ｆ，Ｈ，…に記録しなかった映像データが代替記録される代替領域Ｂ’，Ｄ’，Ｆ’，Ｈ’，…が設けられており、この代替領域には、第１の領域Ａ，Ｃ，Ｅ，Ｇ，…の映像データの不連続部分を埋める映像データが記録されている。そして、ＤＭＡにおいては、上記と対応して、欠陥アドレスに、第２の領域（欠陥領域）Ｂ，Ｄ，Ｆ，Ｈ，…の各先頭アドレスおよび終了アドレスが記録され、代替アドレスに、代替領域Ｂ’，Ｄ’，Ｆ’，Ｈ’，…の各先頭アドレスおよび終了アドレスが記録されている。
【００２１】
ここで、第２の領域Ｂ，Ｄ，Ｆ，Ｈ，…は、見かけ上欠陥領域として取り扱うものであって、実際には欠陥領域ではない。また、この領域に記録されたデータは、再生時には無視されるため、どんなデータであってもよい。例えば、“０”を記録しておいてもよい。一方、代替領域Ｂ’，Ｄ’，Ｆ’，Ｈ’，…に記録されるデータは、実際に再生される映像データであって、第１の領域Ａ，Ｃ，Ｅ，Ｇ，…の映像データと連続性を有している。すなわち、Ｂ’の映像はＡの映像と連続しており、Ｄ’の映像はＣの映像と連続しており、Ｆ’の映像はＥの映像と連続しており、Ｈ’の映像はＧの映像と連続している。したがって、第１の領域のアドレスと代替領域のアドレスは不連続であるが、第１の領域の映像データと代替領域の映像データとは連続している。
【００２２】
図４において、データ領域に記録された映像データは、次のようにして読み出される。最初に、領域Ａのアドレスが指定されて、Ａのデータが読み出され再生される。この再生が終ると、領域Ｂのアドレスが指定されるが、ＤＭＡの欠陥アドレスに領域Ｂのアドレスが記録されているため、Ｂのデータは欠陥扱いとして読み出されず、代替アドレスとして記録されている領域Ｂ’のデータが読み出され再生される。この再生が終ると、領域Ｃのアドレスが指定され、このアドレスは、ＤＭＡの欠陥アドレスに記録されていないので、Ｃのデータが読み出され再生される。再生終了後、次に領域Ｄのアドレスが指定されるが、ＤＭＡの欠陥アドレスに領域Ｄのアドレスが記録されているため、Ｄのデータは欠陥扱いとして読み出されず、代替アドレスとして記録されている領域Ｄ’のデータが読み出され再生される。この再生が終ると、領域Ｅのアドレスが指定され、このアドレスは、ＤＭＡの欠陥アドレスに記録されていないので、Ｅのデータが読み出され再生される。
【００２３】
以下、同様にして、ＤＭＡのアドレス情報に基づき、欠陥領域については代替領域からデータを読み出し、欠陥領域でない領域についてはそのままデータを読み出す処理が行われる。この場合、第１の領域Ａ，Ｃ，Ｅ，Ｇ，…と、第２の領域（欠陥領域）Ｂ，Ｄ，Ｆ，Ｈ，…とが交互に設けられているので、光ピックアップ１２は、ＤＭＡのアドレス情報に基づくスライドモータ１３の動作により、ディスクの内周と外周との間を交互に移動して、データを読み出す。図４において、黒塗りの矢印マークが付された領域は、実際に再生される領域であることを表し、破線の矢印マークが付された領域は、実際には再生されない領域であることを表している。
【００２４】
この結果、図５に示すように、Ａ→Ｂ’→ Ｃ→Ｄ’→ Ｅ→Ｆ’→ Ｇ→Ｈ’…の順序でデータが読み出され再生される。そして、これらの映像データは連続しているので、再生される映像も連続性を有する映像となる。したがって、本発明によるテストディスク１をディスク再生装置１００にセットして再生することにより、光ピックアップ１２にシーク動作を行わせながら、モニタ３０に連続した再生映像を出画することができ、この再生映像に途切れがないかどうかを目視により確認して、装置の再生性能を評価することができる。
【００２５】
図６は、上述したテストディスク１を用いて映像を再生する場合の手順を示したフローチャートである。テストディスク１がディスク再生装置１００にセットされると、光ピックアップ１２によるディスク１の読み取りが開始され、ＤＭＡに記録されている欠陥管理情報が取得されるとともに（ステップＳ１）、その他の情報が取得されて（ステップＳ２）、マウントが完了する（ステップＳ３）。マウントが完了すると、フロントエンド１０のマイコン１７から、バックエンド２０のマイコン２５に、マウント完了の通知が送られる（ステップＳ４）。マイコン２５は、この通知を受けると、リモコン受信部２４でリモコン４０からの再生指令信号が受信されるのを待ち、再生指令信号が受信されるとリードコマンドを発行して、フロントエンド１０のマイコン１７へ再生要求を行う（ステップＳ５）。
【００２６】
再生要求を受け取ったマイコン１７は、再生要求されたアドレスが欠陥アドレスであるか否かを、ステップＳ１で取得した欠陥管理情報を参照して判定する（ステップＳ６）。判定の結果、再生要求において指定されたアドレスが欠陥アドレスでない場合は（ステップＳ６：ＮＯ）、指定されたアドレスの領域に記録されている映像データを光ピックアップ１２で読み取って、当該データを再生する。一方、指定されたアドレスが欠陥アドレスである場合は（ステップＳ６：ＹＥＳ）、ステップＳ１で取得した欠陥管理情報から代替アドレスを取得し、そのアドレスの位置へ光ピックアップ１２をシークさせて当該領域に記録されている映像データを読み取って再生する（ステップＳ８）。
【００２７】
ステップＳ７あるいはステップＳ８を実行した後、フロントエンド１０のマイコン１７は、バックエンド２０のマイコン２５からの再生要求があるか否かを判定し（ステップＳ９）、マイコン２５から再生要求があれば（ステップＳ９：ＹＥＳ）、ステップＳ６へ戻り、指定されたアドレスが欠陥アドレスであるか否かを判定し、その判定結果に応じて、前述のステップＳ７あるいはステップＳ８を実行する。フロントエンド１０のマイコン１７は、バックエンド２０のマイコン２５からの再生要求がある間は、ステップＳ６〜Ｓ９を繰り返し実行する。そして、マイコン２５からの再生要求がなくなれば（ステップＳ９：ＮＯ）、再生処理を終了する。
【００２８】
上述した再生処理において、バックエンド２０は、通常のディスクを再生する場合と同じように、フロントエンド１０に対して再生要求を行うだけでよく、何ら特別な処理や制御を行う必要がない。バックエンド２０からフロントエンド１０に再生要求がされると、フロントエンド１０において、テストディスク１から取得した欠陥管理情報に基づき、光ピックアップ１２をディスクの内周側と外周側に交互にシークさせながら、映像データの再生が自動的に行われる。
【００２９】
以上のようにして、上記実施形態によれば、ＤＭＡのアドレス情報に従って、光ピックアップ１２をディスクの内周・外周間を往復移動させながら、連続した映像が出画されるので、再生映像にシークによる途切れがないかどうかをモニタ３０の映像を見ながら評価することができる。また、テストディスク１は、ＢＤ−ＲやＢＤ−ＲＥのようなＤＭＡを有する既存の光ディスクを用いて、簡単に作成することができる。さらに、一般に市販されているＢＤレコーダ／プレーヤなどには、ＤＭＡに記録されている情報を読み出す機能がもともと備わっているので、装置側に新たな機構やソフトウェアを組み込む必要がなく、テストディスク１を用意するのみで、全ての装置で同様の評価を行うことができる。
【００３０】
また、上記実施形態においては、図４で説明したように、第１の領域Ａ，Ｃ，Ｅ，Ｇ，…と第２の領域（欠陥領域）Ｂ，Ｄ，Ｆ，Ｈ，…とが交互に設けられ、第１の領域Ａ，Ｃ，Ｅ，Ｇ，…の映像データと、代替領域Ｂ’，Ｄ’，Ｆ’，Ｈ’，…の映像データとが、光ピックアップ１２により交互に読み取られる。この結果、ピックアップ１２をディスクの内周側と外周側に規則的に交互移動させながら再生映像が出画されるので、目視による映像の連続性の評価を容易かつ精度良く行うことができる。
【００３１】
図７は、本発明の他の実施形態によるテストディスク１の記録データを示した図である。図４の実施形態では、第１の領域と第２の領域（欠陥領域）とが１つずつ交互に設けられていたが、図７の実施形態では、第１の領域が２つ連続した後に第２の領域が１つ設けられている。この場合、ＤＭＡに記録される欠陥アドレスと代替アドレスは図のようになり、Ｃ，Ｆ，Ｉ…が欠陥領域、Ｃ’，Ｆ’，Ｉ’…が代替領域となる。これに基づいて、図８のような順序で第１の領域Ａ，Ｂ，Ｄ，Ｅ，Ｇ，Ｈ…の映像データと、代替領域Ｃ’，Ｆ’，Ｉ’…の映像データとが再生される。この例でも、各領域の映像データは連続している。なお、再生の手順は、図６で説明した手順と同じである。
【００３２】
図７の実施形態によっても、ＤＭＡのアドレス情報に基づいて、光ピックアップ１２がディスクの内周・外周間を往復移動しながら、第１の領域と代替領域の映像データを読み取るので、モニタ３０には連続した映像が出画される。このため、再生映像にシークによる途切れがないかどうかを観察することで、再生性能を評価することができる。
【００３３】
図９は、本発明のさらに他の実施形態によるテストディスク１の記録データを示した図である。図４や図７の実施形態では、第１の領域と第２の領域（欠陥領域）とが規則的に設けられていたが、図９の実施形態では、第１の領域と第２の領域が不規則に設けられている。この場合、ＤＭＡに記録される欠陥アドレスと代替アドレスは図のようになり、Ｂ，Ｃ，Ｅ，Ｉ…が欠陥領域、Ｂ’，Ｃ’，Ｅ’，Ｉ’…が代替領域となる。これに基づいて、図１０のような順序で第１の領域Ａ，Ｄ，Ｆ，Ｇ，Ｈ…の映像データと、代替領域Ｂ’，Ｃ’，Ｅ’，Ｉ’…の映像データとが再生される。この例でも、各領域の映像データは連続している。なお、再生の手順は、図６で説明した手順と同じである。
【００３４】
図９の実施形態によっても、ＤＭＡのアドレス情報に基づいて、光ピックアップ１２がディスクの内周・外周間を往復移動しながら、第１の領域と代替領域の映像データを読み取るので、モニタ３０には連続した映像が出画される。このため、再生映像にシークによる途切れがないかどうかを観察することで、再生性能を評価することができる。
【００３５】
本発明では、上述した以外にも種々の実施形態を採用することができる。例えば、上記実施形態では、ＢＤ−ＲやＢＤ−ＲＥを用いて作成したテストディスク１を例に挙げたが、本発明のテストディスクは、欠陥管理領域（ＤＭＡ）を備えたものであればよく、例えばＤＶＤ−ＲＡＭから作成したものであってもよい。また、テストディスクにおける第１の領域と第２の領域の配置は、図４、図７、図９に示したものに限られず、これらの領域が混在するパターンとしては、他にも種々のものが考えられる。
【図面の簡単な説明】
【００３６】
【図１】再生性能の評価が行われるディスク再生装置のブロック図である。
【図２】本発明によるテストディスクのデータ構造を示した図である。
【図３】リードイン領域の記録データの一部を示した図である。
【図４】テストディスクのデータ領域における映像データの記録例を示した図である。
【図５】データの再生順序を模式的に示した図である。
【図６】テストディスクを用いて映像を再生する場合の手順を示したフローチャートである。
【図７】本発明の他の実施形態によるテストディスクの記録データを示した図である。
【図８】データの再生順序を模式的に示した図である。
【図９】本発明の他の実施形態によるテストディスクの記録データを示した図である。
【図１０】データの再生順序を模式的に示した図である。
【符号の説明】
【００３７】
１    テストディスク（再生性能評価用光ディスク）
１０  フロントエンド
１２  光ピックアップ
２０  バックエンド
３０  モニタ
１００  ディスク再生装置
ＤＭＡ  欠陥管理領域
【図１】
2008310871.tif 000003
【図２】
2008310871.tif 000004
【図３】
2008310871.tif 000005
【図４】
2008310871.tif 000006
【図５】
2008310871.tif 000007
【図６】
2008310871.tif 000008
【図７】
2008310871.tif 000009
【図８】
2008310871.tif 000010
【図９】
2008310871.tif 000011
【図１０】
2008310871.tif 000012